(57)【特許請求の範囲】
【請求項１】
移動通信システムの基地局により形成されるセルのセクタを捕捉した移動機に対して当該基地局から周辺情報を報知する方法であって、
各基地局のセルのセクタに同じ組み合わせのチャネル識別子を割り当てた前提の上で、
上記移動機が捕捉したセクタに隣接する他のセルに割り当てられた識別子と、
当該他のセルに含まれるセクタ数とを、
上記移動機に対する周辺情報として報知することを特徴とする周辺情報報知方法。
【請求項２】
移動通信システムの基地局により形成されるセルのセクタを捕捉した移動機に対して当該基地局から周辺情報を報知する方法であって、
各基地局のセルのセクタに同じ組み合わせのチャネル識別子を割り当てた前提の上で、
上記移動機が捕捉したセクタに隣接する他のセルに割り当てられた識別子と、
上記移動機が捕捉したセクタと頻繁にハンドオーバの生じる隣接する他のセルのセクタに割り当てられたチャネル識別子の識別子と、
当該他のセルに含まれるセクタ数とを、
上記移動機に対する周辺情報として報知することを特徴とする周辺情報報知方法。
【請求項３】
移動通信システムを構成する基地局であって、
各基地局のセルのセクタに同じ組み合わせのチャネル識別子を割り当てた前提の上で、
当該基地局により形成されるセルのセクタを捕捉した移動機に対し、当該移動機が捕捉したセクタに隣接する他のセルに割り当てられた識別子と、当該他のセルに含まれるセクタ数とを周辺情報として報知する手段を備えたことを特徴とする基地局。
【請求項４】
移動通信システムを構成する基地局であって、
各基地局のセルのセクタに同じ組み合わせのチャネル識別子を割り当てた前提の上で、
当該基地局により形成されるセルのセクタを捕捉した移動機に対し、当該移動機が捕捉したセクタに隣接する他のセルに割り当てられた識別子と、当該移動機が捕捉したセクタと頻繁にハンドオーバの生じる隣接する他のセルのセクタに割り当てられたチャネル識別子の識別子と、当該他のセルに含まれるセクタ数とを周辺情報として報知する手段を備えたことを特徴とする基地局。
【請求項５】
移動通信システムにおいて使用される移動機であって、
各基地局のセルのセクタに同じ組み合わせのチャネル識別子を割り当てた前提の上で、
当該移動機が捕捉したセクタに隣接する他のセルに割り当てられた識別子と、当該他のセルに含まれるセクタ数とを、捕捉したセクタの基地局から周辺情報として受信する手段と、
上記セルの識別子およびセクタ数に基づき対象を絞って周辺セルサーチを行う手段とを備えたことを特徴とする移動機。
【請求項６】
移動通信システムにおいて使用される移動機であって、
各基地局のセルのセクタに同じ組み合わせのチャネル識別子を割り当てた前提の上で、
当該移動機が捕捉したセクタに隣接する他のセルに割り当てられた識別子と、当該移動機が捕捉したセクタと頻繁にハンドオーバの生じる隣接する他のセルのセクタに割り当てられたチャネル識別子の識別子と、当該他のセルに含まれるセクタ数とを、捕捉したセクタの基地局から周辺情報として受信する手段と、
上記セルの識別子、チャネル識別子の識別子およびセクタ数に基づき対象を絞って周辺セルサーチを行う手段とを備えたことを特徴とする移動機。
【請求項７】
請求項５又は６に記載の移動機において、
基地局のセクタから何も報知情報を受信していない場合に、マッピング上の各グループまたはセルの第１のチャネル識別子からサーチを開始し、チャネル識別子を捕捉するまで順次にマッピング上の各グループまたはセルにおける次の順位のチャネル識別子のサーチを行う手段を備えたことを特徴とする移動機。
【発明の詳細な説明】
【技術分野】
【０００１】
本発明は、移動通信システムにおいて基地局のセクタから移動機に報知する周辺情報を削減し、周辺セルサーチに要する時間を短縮することのできるチャネル識別子割当方法、周辺情報報知方法、基地局および移動機に関する。
【背景技術】
【０００２】
図１は移動通信システムにおけるセルとセクタの概念を示す図である。
【０００３】
無線通信において、送信端から発信された電波は、空間を減衰しながら伝搬し、受信端に到達する。伝搬損失は送受信点間の距離が遠くなるほど増大する性質を有するため、送受信点間距離が遠くなると、所要受信品質を得るために送信電力を増大する必要が生じ、消費電力が増大する。消費電力の低減は、バッテリの長持続化、システムの経済化にとって重要である。
【０００４】
そこで、現在普及している携帯電話のような移動通信システムでは、サービスエリア内に基地局１０を複数設置することでエリアを比較的小さな無線ゾーンであるセル３０（図１において楕円形で示した部分）に分割し、移動機２０が最寄りの基地局１０と通信することで送受信点間の距離を縮め、消費電力を抑えている。また、１つの基地局１０に指向性のあるアンテナを複数設け、セル３０を複数のセクタ４０（図１において扇形で示した部分）に分割することで、基地局設置箇所を増さずに効率的に伝搬損失を補っている。このとき、移動機２０で最良のセクタ４０を待ち受けおよび通信を行うセクタ４０として選択することが重要となる。
【０００５】
ここで、実際の電波伝搬における減衰量は、距離のほか地形地物などの影響を受けるため、場所によって大きく変動する。従って、移動機２０が移動すると、最良なセクタ４０は刻々と変化する。このような環境下で、常に最良なセクタ４０を選択できるよう、移動機２０では周辺セクタを探索、捕捉し、電波伝搬状況を監視する必要が生じる。この移動機２０の探索動作は、周辺セルサーチと呼ばれる。移動機２０においては、なるべく多くのセクタ４０の伝搬状況を監視できることが、常に最適なセクタ４０を選択する上で重要となる。
【０００６】
また、周辺セルサーチは、各セクタ４０から送信される報知情報チャネルを移動機２０が探索、受信することで行われる。このとき、移動機２０において検出された報知情報チャネルがどのセクタ４０から送信されたものかを判断できるよう、各セクタ４０の報知情報チャネルには、各チャネルを識別するためにアイデンティティーを持たせる必要が生じる。このアイデンティティーを「チャネル識別子」と呼ぶこととする。チャネル識別子を複数用意しておき、各セクタ４０にチャネル識別子を割り当て、チャネル識別子によって特徴付けられる報知情報チャネルを各セクタ４０から送信する。チャネル識別子は、例えば、ＴＤＭＡ／ＦＤＭＡ方式なら搬送波周波数、ＣＤＭＡ方式なら拡散符号という具合に、システムとの親和性が高いものとすることができる。
【０００７】
移動機２０では、周辺セルサーチにおいて受信可能な報知情報チャネルがあるかを探索し、新たな報知情報チャネルを検出した場合、その報知情報チャネルのチャネル識別子を識別する。その結果により、移動機２０においてセクタ４０を識別でき、受信した報知情報チャネルの品質などから、待ち受け、通信を行うセクタ４０を判断する。
【０００８】
ここで、同一のチャネル識別子を用いるセクタ４０が近くに存在すると、セクタ４０の誤認識、誤検出など、相互の影響が問題となる。同一のチャネル識別子が割り当てられたセクタ４０が十分遠ければ、相互の影響を十分小さく抑えることができ、問題を生じることはない。従って、チャネル識別子数がシステムの全セクタ数より少なく、同一チャネル識別子を複数のセクタ４０に繰り返し割り当てる必要があるシステムでは、繰り返しの間隔に十分注意する必要がある。ここで、チャネル識別子数が十分多ければ、繰り返し割り当てが容易となる。
【０００９】
ところが、チャネル識別子数が多くなると、周辺セルサーチの際にチャネル識別子識別における候補数が増すため、周辺セルサーチに要する時間が長くなる。従って、周辺セルサーチを高速化する観点からは、チャネル識別子数が少ない方がよい。
【００１０】
ここで、チャネル識別子数が多い場合にも周辺セルサーチを高速に行うために、チャネル識別子をあらかじめグループ化することができる。ＣＤＭＡ移動通信システムにおいては、チャネル識別子数、すなわち拡散符号が多い場合に周辺セルサーチを高速に行うための技術として、３段階セルサーチの手法が非特許文献１で提案されている。この技術によると、チャネル識別子をあらかじめグループ化しておき、移動機が周辺セルサーチを行う際に、まず報知情報チャネルのタイミングを検出し、次にチャネル識別子のグループを同定する。最後に該グループに属するチャネル識別子を同定することで、より素早くセクタを識別できる。
【００１１】
周辺セルサーチを高速に行うことは、移動に伴って刻々と変わる伝搬状況に順応すること、サーチに要する消費電力を低減することの２点において重要である。ＦＤＭＡ／ＴＤＭＡの場合でも、搬送波周波数があらかじめグループ化されていれば、周辺セルサーチ時に掃引すべき周波数帯が限定され、周辺セルサーチを高速化できる。
【００１２】
ところで、各セクタにおいて、該セクタの周辺セクタに関する情報を報知情報チャネルにより移動機に通知し、この情報を基に移動機が周辺セルサーチを実行すると、チャネル識別子識別時の選択肢が減るため、より高速に周辺セルサーチを完了できる。移動機は、通信中のセクタや捕捉済みのセクタから周辺セクタの情報を受信できる。このとき、通知する情報量が多いと、送信電力が増大し、また、移動機で解読に要する電力も増大するため、効率的でない。より少ない情報で、周辺セルサーチの精度を高めることが重要となる。
【００１３】
このような移動通信システムにおいて、チャネル識別子の繰り返し割り当ての要求からチャネル識別子数を多くすると、周辺セルサーチにおけるチャネル識別子候補数が増大するため、周辺セルサーチの所要時間が増大するという問題点がある。周辺セルサーチの所要時間が増大すると、サーチの消費電力が増大するといった問題を生じるほか、刻々と変化する伝搬状況に対応できず、最良なセクタを選択できなくなるといった重大な問題を生じかねない。
【００１４】
さらに、最良なセクタを選択できないと所要送信電力が増大するため、他ユーザへ与える干渉が増大し、また、消費電力が増大するという問題がある。
【００１５】
さらにまた、移動機は通常在圏するセクタから周辺のセクタにおいてどのチャネル識別子が用いられているかを示す情報を受け取り、その情報に基づいてセルサーチを行うが、従来の技術では、セクタから移動機へ周辺セクタ全てのチャネル識別子を通知していたため、消費電力が大きくなり、非効率的になるという問題がある。
【００１６】
さらにまた、同一チャネル識別子を複数のセクタに繰り返し割り当てる際に、チャネル識別子１つ１つについて繰り返しの間隔に留意する必要があったため、設計、管理が煩雑になるという問題がある。
【００１７】
このような問題を解決するため、本発明者等は特許文献１に示すようなチャネル識別子の割り当て方法および移動通信システムを既に提案している。そこでは、同一の基地局内のセクタには同一のグループに属するチャネル識別子を割り当て、基地局から在圏する移動機に対して１つの周辺基地局についてセクタに割り当てられたチャネル識別子のうちのいずれか１つを通知することにより、移動機が周辺セルサーチに要する消費電力や時間を小さく抑え、設計上および管理上の煩雑性を低減するようにしている。
【特許文献１】特開２００１−１１９７４５号公報
【非特許文献１】Higuchi, Sawahashi, Adachi, "Fast CellSearch Algorithm in Inter-Cell Asynchronous DS-CDMA Mobile Radio," IEICE Trans. Commun., Vol. E81-B, No. 7,July 1998
【発明の開示】
【発明が解決しようとする課題】
【００１８】
上述した特許文献１に示される技術では、報知情報量を減らすことで周辺セルサーチに要する時間や消費電力を小さく抑えられる等の利点があるが、１つの周辺基地局についてセクタに割り当てられたチャネル識別子のうちのいずれか１つを通知するのみであったため、セクタ数の異なるセルが隣接する場合に不要なセクタについてサーチを行ってしまうという問題があった。例えば、６セクタ構成のセルと３セクタ構成のセルとが混在する場合、移動機は通知されたセクタのチャネル識別子に基づいてそのセル内の隣接するセクタをサーチすることになるが、実際は３セクタしかないにもかかわらず、設計上割り当てられた他の３セクタについてもサーチすることとなり、その分の時間や消費電力が無駄になるという問題があった。
【００１９】
例えば、今後の移動通信システムでは、より高い伝送速度が要求されることから、より高い周波数を用いることが予想される。高周波数になると伝搬減衰量が増大するため、設計上セル半径を小さくする必要がある。従って、セル数が増大することが予想される。また、伝搬減衰量が増大するため、通常のセルではカバーできない電波不感地が増える可能性があり、これらを張出しセルなどのスポットセルでカバーする必要が出てくる。このようセル数が増した場合に効率的にシステムを構築するために、アンテナ張出しを用いて積極的に複数のセルを一基地局装置に集約することなどが考えられる。集約されたセルは同一基地局配下となるため、従来のセクタと同様に扱うこともできる。このような状況から、一基地局が管理するセクタの数は従来よりも増す傾向にあり、よって特許文献１を適用した場合にグループ内の識別子の数を多くする必要が出てくる。しかし、グループ内の識別子が多い場合にセクタ数が少ないセルへグループを割り当ててしまうと、不要なセクタをサーチする確率が高くなってしまう。また、基地局設置スペースなどの問題から、設置スペースを多く確保できる局舎に積極的に張出しセルを集約することも考えられ、同一基地局に集約されたセルが必ずしも連続的なエリアを構成しない場合もある。このような場合には、必ずしも同一グループに属する識別子をサーチする必要はなくなる。
【００２０】
本発明は上記の従来の問題点に鑑み提案されたものであり、その目的とするところは、移動通信システムにおいて基地局のセクタから移動機に報知する周辺情報の削減の効果を維持しつつ、よりいっそうの周辺セルサーチの時間短縮等を図ることのできるチャネル識別子割当方法、周辺情報報知方法、基地局および移動機を提供することにある。
【課題を解決するための手段】
【００２４】
上記の課題を解決するため、本発明は、移動通信システムの基地局により形成されるセルのセクタを捕捉した移動機に対して当該基地局から周辺情報を報知する方法であって、各基地局のセルのセクタに同じ組み合わせのチャネル識別子を割り当てた前提の上で、上記移動機が捕捉したセクタに隣接する他のセルに割り当てられた識別子と、当該他のセルに含まれるセクタ数とを、上記移動機に対する周辺情報として報知する周辺情報報知方法を要旨としている。
【００２５】
また、本発明は、移動通信システムの基地局により形成されるセルのセクタを捕捉した移動機に対して当該基地局から周辺情報を報知する方法であって、各基地局のセルのセクタに同じ組み合わせのチャネル識別子を割り当てた前提の上で、上記移動機が捕捉したセクタに隣接する他のセルに割り当てられた識別子と、上記移動機が捕捉したセクタと頻繁にハンドオーバの生じる隣接する他のセルのセクタに割り当てられたチャネル識別子の識別子と、当該他のセルに含まれるセクタ数とを、上記移動機に対する周辺情報として報知する周辺情報報知方法を要旨としている。
【００２９】
また、本発明は、移動通信システムを構成する基地局であって、各基地局のセルのセクタに同じ組み合わせのチャネル識別子を割り当てた前提の上で、当該基地局により形成されるセルのセクタを捕捉した移動機に対し、当該移動機が捕捉したセクタに隣接する他のセルに割り当てられた識別子と、当該他のセルに含まれるセクタ数とを周辺情報として報知する手段を備える基地局を要旨としている。
【００３０】
また、本発明は、移動通信システムを構成する基地局であって、各基地局のセルのセクタに同じ組み合わせのチャネル識別子を割り当てた前提の上で、当該基地局により形成されるセルのセクタを捕捉した移動機に対し、当該移動機が捕捉したセクタに隣接する他のセルに割り当てられた識別子と、当該移動機が捕捉したセクタと頻繁にハンドオーバの生じる隣接する他のセルのセクタに割り当てられたチャネル識別子の識別子と、当該他のセルに含まれるセクタ数とを周辺情報として報知する手段を備える基地局を要旨としている。
【００３３】
また、本発明は、移動通信システムにおいて使用される移動機であって、各基地局のセルのセクタに同じ組み合わせのチャネル識別子を割り当てた前提の上で、当該移動機が捕捉したセクタに隣接する他のセルに割り当てられた識別子と、当該他のセルに含まれるセクタ数とを、捕捉したセクタの基地局から周辺情報として受信する手段と、上記セルの識別子およびセクタ数に基づき対象を絞って周辺セルサーチを行う手段とを備える移動機を要旨としている。
【００３４】
また、本発明は、移動通信システムにおいて使用される移動機であって、各基地局のセルのセクタに同じ組み合わせのチャネル識別子を割り当てた前提の上で、当該移動機が捕捉したセクタに隣接する他のセルに割り当てられた識別子と、当該移動機が捕捉したセクタと頻繁にハンドオーバの生じる隣接する他のセルのセクタに割り当てられたチャネル識別子の識別子と、当該他のセルに含まれるセクタ数とを、捕捉したセクタの基地局から周辺情報として受信する手段と、上記セルの識別子、チャネル識別子の識別子およびセクタ数に基づき対象を絞って周辺セルサーチを行う手段とを備える移動機を要旨としている。
【００３５】
また、上記の移動機において、基地局のセクタから何も報知情報を受信していない場合に、マッピング上の各グループまたはセルの第１のチャネル識別子からサーチを開始し、チャネル識別子を捕捉するまで順次にマッピング上の各グループまたはセルにおける次の順位のチャネル識別子のサーチを行う手段を備えるようにすることができる。
【発明の効果】
【００３７】
本発明の実施形態によれば、移動通信システムにおいて基地局のセクタから移動機に報知する周辺情報の削減の効果を維持しつつ、報知情報に含めたセクタ数に基づいて効率的な周辺セルサーチを行うことができ、周辺セルサーチに要する時間や消費電力を小さく抑えることができる。
【発明を実施するための最良の形態】
【００３８】
以下、本発明の好適な実施形態につき説明する。
【００３９】
＜第１実施形態＞
図２は本発明の一実施形態にかかるチャネル識別子割当方法の例を示す図であり、移動通信システムを構成する複数のセル中から、３つの隣接するセルにのみ着目している。
【００４０】
図２において、亀甲状に示した各セルの中心には基地局１０が配置されており、各セルは６つのセクタにおのおの分割されている。なお、図示のセクタ数はあくまでも一例であって、セルごとに異なるセクタ数とすることができる。
【００４１】
ここで、本実施形態のチャネル識別子割当方法は次の手順によって実行される。
【００４２】
（１）利用可能なチャネル識別子を番号順にｍ個ずつにグループ分けし、各基地局のセルにグループを割り当てる。すなわち、グループの識別子をＧで表し、チャネル識別子の識別子をＣで表すと、
Ｇ０＝｛Ｃ１，Ｃ２，・・・・Ｃｍ｝
Ｇ１＝｛Ｃｍ＋１，Ｃｍ＋２，・・・・Ｃｍ＋ｍ｝
・
・
Ｇｉ＝｛Ｃｍｉ＋１，Ｃｍｉ＋２，・・・・Ｃｍｉ＋ｍ｝
・
・
とし、各基地局のセルにグループの識別子Ｇｉを割り当てる。
【００４３】
（２）各グループ内で上記チャネル識別子を番号順に第１セクタから第ｍセクタまで割り当てる。すなわち、
グループＧ０：Ｃ１→セクタ１、Ｃ２→セクタ２、・・・
グループＧ１：Ｃｍ＋１→セクタ１、Ｃｍ＋２→セクタ２、・・・
・
・
グループＧｉ：Ｃｍｉ＋１→セクタ１、Ｃｍｉ＋２→セクタ２、・・・
・
・
とする。なお、各基地局に実際に設けられるセクタ数を越える場合であっても、チャネル識別子を設計上割り当てる。
【００４４】
図２ではｍ＝１０とし、各セルのセクタ数が６の場合を示しているが、ｍの値および各セルのセクタ数はこれに限られない。
【００４５】
＜第１実施形態：その１＞
図３は基地局のセクタから移動機２０に送信される報知情報の例を示す図である。この例では、図２で説明したグループおよびチャネル識別子の割り当てがされている前提の上で、移動機２０が捕捉したセクタに隣接する他のセルに割り当てられたグループの識別子（Ｇ０，Ｇ２）と、当該他のセルに含まれるセクタ数（いずれもＭ＝６）とを、移動機２０に対する周辺情報（ＳＩＢ：System Information Block）として報知するようにしている。
【００４６】
この報知情報を受信した移動機２０は、グループの識別子およびセクタ数に基づき対象を絞って周辺セルサーチを行うことで、周辺セルサーチに要する時間や消費電力を小さく抑えることができる。すなわち、移動機２０は「Ｇ０，Ｍ＝６、Ｇ２，Ｍ＝６」からセクタ数が６のグループＧ０とセクタ数が６のグループＧ２が周辺にあることを認識し、グループＧ０については識別子Ｃ１〜Ｃ６に対応するチャネル識別子を、グループＧ２については識別子Ｃ２１〜Ｃ２６に対応するチャネル識別子に対象を絞ってサーチを行うことで、短時間に処理を行うことができる。また、チャネル識別子が番号順に割り当てられていることから、例えば、グループＧ０の識別子Ｃ３に対応するチャネル識別子を受信した場合には、その両脇に識別子Ｃ２、Ｃ４に対応するチャネル識別子が存在することが容易に把握でき、優先的にサーチを行うことができる。
【００４７】
また、図２で説明したようなグループおよびチャネル識別子の割り当てがされていることにより、移動機２０が何も報知情報を受信していない状態においては、多数のチャネル識別子を頭から逐一サーチする必要はなく、グループ単位でサーチすることにより、高速に処理を行うことができる。より具体的には、移動機２０は何も報知情報を受信していない状態においては、各セルに割り当てられたグループの先頭の識別子に対応するチャネル識別子Ｃ１，Ｃ１１，Ｃ２１，・・・からサーチを開始し、続いてＣ２，Ｃ１２，Ｃ２２，・・・というように順次にサーチを行えばよい。
【００４８】
＜第１実施形態：その２＞
図４は移動機２０に送信される報知情報の他の例を示す図である。この例では、図２で説明したグループおよびチャネル識別子の割り当てがされている前提の上で、移動機２０が捕捉したセクタと頻繁にハンドオーバの生じる隣接する他のセルのセクタに割り当てられたチャネル識別子の識別子（Ｃ３，Ｃ２２）と、当該他のセルに含まれるセクタ数（いずれもＭ＝６）とを、移動機２０に対する周辺情報（ＳＩＢ）として報知するようにしている。
【００４９】
この報知情報を受信した移動機２０は、チャネル識別子の識別子およびセクタ数に基づき対象を絞って周辺セルサーチを行うことで、周辺セルサーチに要する時間や消費電力を小さく抑えることができる。すなわち、移動機２０は「Ｃ３，Ｍ＝６、Ｃ２２，Ｍ＝６」から、セクタ数が６のグループＧ０の識別子Ｃ３に対応するセクタが自分を向き、セクタ数が６のグループＧ２の識別子Ｃ２２に対応するセクタが自分を向いていることを認識し、グループＧ０については識別子Ｃ３、Ｃ２、Ｃ４・・・に対応するチャネル識別子の順に、グループＧ２については識別子Ｃ２２、Ｃ２１、Ｃ２３・・・に対応するチャネル識別子の順に優先順位を付けてサーチを行うことで、短時間に処理を行うことができる。
【００５０】
また、移動機２０は何も報知情報を受信していない状態においては、各セルに割り当てられたグループの先頭の識別子に対応するチャネル識別子Ｃ１，Ｃ１１，Ｃ２１，・・・からサーチを開始し、続いてＣ２，Ｃ１２，Ｃ２２，・・・というように順次にサーチを行う。これにより、イニシャルサーチを高速に行うことができる。
【００５１】
＜第１実施形態：その３＞
図５は同じ組み合わせのチャネル識別子が割り当てられる例を示す図であり、次世代通信方式として開発の進められているＳ３Ｇ（Super 3 Generation）ないしはＬＴＥ（Long Term Evolution）において想定されるチャネル識別子の割り当て例である。すなわち、基地局のセルにはユニークなスクランブリングコードが割り当てられ、その識別子（便宜上、「セルの識別子」と記述）が付されるが、各セル内のセクタには直交パイロットパターン等のショートコードによるチャネル識別子が同じ組み合わせで割り当てられる。なお、図ではセルの識別子としてＧ０，Ｇ１，・・・と示してあるが、この例ではチャネル識別子をグループ化する意味はない。
【００５２】
図６は移動機２０に送信される報知情報の他の例を示す図である。この例では、図５で説明したセルおよびチャネル識別子の割り当てがされている前提の上で、移動機２０が捕捉したセクタに隣接する他のセルに割り当てられたセルの識別子（Ｇ０，Ｇ２）と、当該他のセルに含まれるセクタ数（いずれもＭ＝６）とを、移動機２０に対する周辺情報（ＳＩＢ）として報知するようにしている。
【００５３】
この報知情報を受信した移動機２０は、セルの識別子およびセクタ数に基づき対象を絞って周辺セルサーチを行うことで、周辺セルサーチに要する時間や消費電力を小さく抑えることができる。すなわち、移動機２０は「Ｇ０，Ｍ＝６、Ｇ２，Ｍ＝６」からセクタ数が６のセルＧ０とセクタ数が６のセルＧ２が周辺にあることを認識し、セルＧ０については識別子Ｃ１〜Ｃ６に対応するチャネル識別子を、セルＧ２については識別子Ｃ１〜Ｃ６に対応するチャネル識別子に対象を絞ってサーチを行うことで、短時間に処理を行うことができる。また、チャネル識別子が番号順に割り当てられていることから、例えば、セルＧ０の識別子Ｃ３に対応するチャネル識別子を受信した場合には、その両脇に識別子Ｃ２、Ｃ４に対応するチャネル識別子が存在することが容易に把握でき、優先的にサーチを行うことができる。
【００５４】
また、移動機２０は何も報知情報を受信していない状態においては、各セルごとに先頭の識別子に対応するチャネル識別子からＧ０のＣ１→Ｇ１のＣ１・・・というようにサーチを開始し、続いてＧ０のＣ２→Ｇ１のＣ２・・・というように順次にサーチを行う。これにより、イニシャルサーチを高速に行うことができる。
【００５５】
＜第１実施形態：その４＞
図７は移動機２０に送信される報知情報の他の例を示す図である。この例では、図５で説明したセルおよびチャネル識別子の割り当てがされている前提の上で、移動機２０が捕捉したセクタに隣接する他のセルに割り当てられたセルの識別子（Ｇ０，Ｇ２）と、移動機２０が捕捉したセクタと頻繁にハンドオーバの生じる隣接する他のセルのセクタに割り当てられたチャネル識別子の識別子（Ｃ３，Ｃ２）と、当該他のセルに含まれるセクタ数（いずれもＭ＝６）とを、移動機２０に対する周辺情報（ＳＩＢ）として報知するようにしている。
【００５６】
この報知情報を受信した移動機２０は、セルの識別子、チャネル識別子の識別子およびセクタ数に基づき対象を絞って周辺セルサーチを行うことで、周辺セルサーチに要する時間や消費電力を小さく抑えることができる。すなわち、移動機２０は「Ｇ０，Ｃ３，Ｍ＝６、Ｇ０，Ｃ２，Ｍ＝６」から、セクタ数が６のセルＧ０の識別子Ｃ３に対応するセクタが自分を向き、セクタ数が６のセルＧ２の識別子Ｃ２に対応するセクタが自分を向いていることを認識し、セルＧ０については識別子Ｃ３、Ｃ２、Ｃ４・・・に対応するチャネル識別子の順に、セルＧ２については識別子Ｃ２、Ｃ１、Ｃ３・・・に対応するチャネル識別子の順に優先順位を付けてサーチを行うことで、短時間に処理を行うことができる。
【００５７】
また、移動機２０は何も報知情報を受信していない状態においては、各セルごとに先頭の識別子に対応するチャネル識別子からＧ０のＣ１→Ｇ１のＣ１・・・というようにサーチを開始し、続いてＧ０のＣ２→Ｇ１のＣ２・・・というように順次にサーチを行う。これにより、イニシャルサーチを高速に行うことができる。
【００５８】
＜第１実施形態：基地局の構成例＞
図８は本発明の一実施形態にかかる基地局１０の構成例を示す図であり、基地局１０の構成のうち本発明に関係する部分のみを概念的に示している。
【００５９】
図８において、基地局１０は、少なくともユーザインタフェース１０２、報知情報設定制御部１０４、チャネル識別子設定制御部１０６、報知情報格納部１０８、チャネル識別子発生部１１０、報知情報チャネル情報構成部１１２、変調部１１４、多重化部１１６、増幅部１１８、アンテナ１２０、他チャネル信号処理部１２２およびネットワークインタフェース１２４から構成される。
【００６０】
ユーザインタフェース１０２は、報知情報設定制御部１０４およびチャネル識別子設定制御部１０６に接続され、運用者と基地局１０とのマン・マシン・インタフェース機能を有する。報知情報設定制御部１０４は、各セクタに対応する報知情報格納部１０８に接続され、報知情報を各セクタ毎に設定することを制御する機能を有する。ここで、「報知情報」とは、図３、図４、図６、図７で説明した方法に基づいて、基地局が各セクタに在圏する移動局に対して報知するための情報である。チャネル識別子設定制御部１０６は、各セクタに対応するチャネル識別子発生部１１０に接続され、ユーザインタフェース１０２を介して入力されるセクタ毎に割り当てるチャネル識別子番号をグループ（セル）から選択して設定し、チャネル識別子発生部１１０を制御する機能を有する。報知情報格納部１０８は、セクタ毎に報知情報設定制御部１０４で設定された報知情報を格納し、報知情報チャネル情報構成部１１２に各セクタに対応する報知情報を送信する機能を有する。チャネル識別子発生部１１０は、各セクタに対応するチャネル識別子を発生し、該チャネル識別子を変調部１１４に送信する機能を有する。ここで、「チャネル識別子」は、ＴＤＭＡ／ＦＤＭＡ方式の場合には例えば搬送波周波数としてもよく、またＣＤＭＡ方式の場合は例えば拡散符号としてもよい。報知情報チャネル情報構成部１１２は、報知情報格納部１０８より受信した報知情報に基づいて報知情報チャネル情報を構成し、変調部１１４に送信する機能を有する。変調部１１４は、報知情報チャネル情報構成部１１２において構成された報知情報チャネル情報とチャネル識別子発生部１１０により発生したチャネル識別子とを入力して変調する機能を有する。例えば、チャネル識別子が拡散符号である場合は、チャネル識別子である拡散符号で報知情報チャネル信号を拡散変調し、またチャネル識別子が搬送波周波数である場合は報知情報チャネル信号でチャネル識別子である搬送波周波数の搬送波を変調する。多重化部１１６は、変調部１１４により変調された信号と他チャネル信号処理部１２２により処理された他チャネル信号とを多重化する機能をする。増幅部１１８は、アンテナ１２０に接続され、信号を増幅する機能を有する。アンテナ１２０は、移動機２０との通信を行う機能を有する。他チャネル信号処理部１２２は、ネットワークインタフェース１２４に接続され、他チャネル信号を処理し多重化部１１６に送信する機能を有する。ネットワークインタフェース１２４は、上位ネットワークとの接続のインタフェース機能を有する。
【００６１】
次に、このように構成された基地局１０の動作の一例について以下に説明する。
【００６２】
まず、運用者がユーザインタフェース１０２を介してセクタ毎に割り当てるチャネル識別子を、グループから選んでセクタ毎に設定する。設定内容は図２または図５に示した方法に従う。なお、この設定は自動的に行うようにしてもよい。
【００６３】
次に、チャネル識別子設定制御部１０６は、各セクタのチャネル識別子発生部１１０に、どの番号の識別子を発生するかを通達し、チャネル識別子発生部１１０は、この番号に応じたチャネル識別子を発生する。
【００６４】
次に、ユーザインタフェース１０２を介して報知情報設定制御部１０４において設定され、各セクタ毎に報知情報格納部１０８に格納された、周辺セルのグループ番号、チャネル識別子番号、セクタ数等の報知情報を含む各セクタの報知情報チャネル情報は、変調部１１４においてチャネル識別子で特徴付けられる。
【００６５】
次に、多重化部１１６で他チャネル信号と多重化され、増幅部１１８において増幅後にアンテナ１２０から移動局に対して送信される。
【００６６】
なお、本実施形態では、報知情報は、ユーザがユーザインタフェース１０２を介してセクタ毎または基地局毎に周辺セルのグループ番号、チャネル識別子番号、セクタ数等を設定する構成となっている。しかし、報知情報はユーザが設定しなくても、自セクタからハンドオーバする移動局が最も多い周辺セクタの統計結果などをネットワークを経由して受け取り、自動的にこれらの周辺セクタのチャネル識別子番号を報知情報として各セクタに設定するような構成としてもよい。
【００６７】
＜第１実施形態：移動機の構成例＞
図９は本発明の一実施形態にかかる移動機２０の構成例を示す図であり、移動機２０の構成のうち本発明に関係する部分のみを概念的に示している。
【００６８】
図９において、移動機２０は、少なくともアンテナ２０２、無線受信部２０４、チャネル識別子サーチ部２０６、制御部２１０およびメモリ部２１２から構成される。
【００６９】
アンテナ２０２は、チャネル識別子サーチ部２０６および無線受信部２０４と接続され、基地局１０から送信される電波を受信する機能を有する。チャネル識別子サーチ部２０６は、アンテナ２０２、制御部２１０および無線受信部２０４に接続され、アンテナ２０２を介して受信された信号から、チャネル識別子をサーチする機能を有し、捕捉したチャネル識別子を制御部２１０と無線受信部２０４へ報告する機能を有する。無線受信部２０４は、アンテナ２０２を介して受信した信号より、該報告されたチャネル識別子を用いて、該チャネル識別子を用いるセクタからの報知情報を解読し、解読された周辺セクタのグループ、チャネル識別子、セクタ数等を制御部２１０に報告する機能を有する。制御部２１０は、チャネル識別子サーチ部２０６、無線受信部２０４およびメモリ部２１２と接続され、捕捉されているチャネル識別子および周辺セクタのチャネル識別子等をメモリ部２１２へ記録し、また、次にサーチすべきチャネル識別子を選定してチャネル識別子サーチ部２０６へ該チャネル識別子を優先的にサーチするように制御する機能を有する。メモリ部２１２は、制御部２１０と接続され、捕捉済みチャネル識別子、基地局１０から受信された報知情報による周辺セクタのグループ、チャネル識別子、セクタ数等を記憶するメモリ機能を有する。
【００７０】
次に、このように構成された移動機２０の動作について、以下に説明する。
【００７１】
まず、チャネル識別子サーチ部２０６において受信信号から新規にチャネル識別子を捕捉した際に、制御部２１０は該セクタのチャネル識別子を捕捉済みのチャネル識別子としてメモリ部２１２に登録する。
【００７２】
次に、チャネル識別子サーチ部２０６は、該セクタのチャネル識別子を無線受信部２０４に報告する。
【００７３】
次に、無線受信部２０４は、アンテナ２０２を介して受信される信号からチャネル識別子において該捕捉されたチャネル識別子を用いて該セクタからの報知情報を解読し、その結果を制御部２１０へ報告する。
【００７４】
次に、制御部２１０において該報知情報、すなわち周辺セクタのグループ、チャネル識別子、セクタ数等をメモリ部２１２に登録する。
【００７５】
次に、制御部２１０は、チャネル識別子サーチ部２０６から報告されるチャネル識別子と無線受信部２０４から報告される周辺セクタのグループ、チャネル識別子、セクタ数等を判断材料として、将来捕捉する可能性の高いチャネル識別子をあらかじめ選択する。
【００７６】
次に、制御部２１０は、チャネル識別子サーチ部２０６に対し将来捕捉する可能性の高いチャネル識別子を優先的にサーチするように制御する。これにより、移動機２０が周辺セルサーチを行う際に、移動機２０でサーチすべきグループ等が限定されるため、周辺セルサーチの所要時間が短縮され、消費電力が低減されるという効果が得られる。また、捕捉済みのセクタが属する基地局１０の他のセクタは、地理的位置関係から有力な接続切替先候補であるから、これらのセクタを効率的に捕捉できることは、移動機２０が待ち受け、通信を行うセクタとして常に最適なセクタを選択することにおける精度を向上させる。
【００７７】
＜第２実施形態＞
図１０は本発明の一実施形態にかかるチャネル識別子割当方法の例を示す図であり、移動通信システムを構成するセルに張り出しセルと呼ばれる子セルが存在する場合を示している。張り出しセルとは、トラヒックが集中する部分や、電波が届きにくい不感地に基地局からアンテナを光ファイバなどを使って張り出すことにより構成されたセル（又はセクタ）である。子セルに対応して、基地局自体に設置されたアンテナで構成されるセルを親セルと呼ぶ。なお、図１０では、子セルが１セクタで構成されているが、複数のセクタで構成されてもよい。
【００７８】
図１０のように子セルが親セルから遠い場合には、子セルとその親セルとの双方がハンドオーバの候補になるとは限らない。移動機２０が子セルのチャネル識別子Ｃ７を検出した際に、その親セルのチャネル識別子Ｃ１〜Ｃ６を検出する必要はない。同様に、移動機２０が親セルのチャネル識別子Ｃ１〜Ｃ６を検出した際に、その子セルのチャネル識別子Ｃ７を検出する必要はない。
【００７９】
従って、子セルに親セルと同じセルの識別子を割り当てて「Ｇ０，Ｃ７」とするチャネル識別子割当方法と、子セルに親セルと異なるセルの識別子を割り当てて「Ｇ３，Ｃ３１」とするチャネル識別子割当方法が考えられる。このチャネル識別子割当方法のうちいずれかを使用して、図３、図４、図６、図７の報知情報は以下のように変更する必要がある。
【００８０】
＜第２実施形態：その１＞
図３に示す報知情報の例では、グループの識別子とセクタ数とを移動機２０に報知しているため、親セルと子セルとに同じグループの識別子を割り当てると、検出する必要のないチャネル識別子まで検出することになる。従って、子セルに別のグループの識別子Ｇ３を割り当てる。更に、子セルのチャネル識別子はグループ内で番号順に割り当てられなければならないため、子セルのチャネル識別子はＣ７ではなく、Ｃ３１になる。
【００８１】
図１１は基地局のセクタから移動機２０に送信される報知情報の例を示す図である。この例では、移動機２０が捕捉したセクタに隣接する他のセルに割り当てられたグループの識別子（Ｇ３，Ｇ２）と、当該他のセルに含まれるセクタ数（Ｍ＝１，Ｍ＝６）とを、移動機２０に対する周辺情報（ＳＩＢ：System Information Block）として報知するようにしている。
【００８２】
この報知情報を受信した移動機２０は、グループの識別子およびセクタ数に基づき対象を絞って周辺セルサーチを行うことで、周辺セルサーチに要する時間や消費電力を小さく抑えることができる。すなわち、移動機２０は「Ｇ３，Ｍ＝１、Ｇ２，Ｍ＝６」からセクタ数が１のグループＧ３とセクタ数が６のグループＧ２が周辺にあることを認識し、グループＧ３については識別子Ｃ３１に対応するチャネル識別子を、グループＧ２については識別子Ｃ２１〜Ｃ２６に対応するチャネル識別子に対象を絞ってサーチを行うことで、短時間に処理を行うことができる。親セルには子セルと別のグループの識別子Ｇ０が割り当てられているため、親セルのチャネル識別子を検出する必要なく、ハンドオーバの候補とならないチャネル識別子を検出する必要がなくなる。
【００８３】
＜第２実施形態：その２＞
図４に示す報知情報の例では、チャネル識別子とセクタ数とを移動機２０に報知しているため、親セルのセクタ数と子セルのセクタ数とを合計したセクタ数を報知すると、検出する必要のないチャネル識別子まで検出することになる。従って、親セルのチャネル識別子と共に報知するセクタ数は、親セルのセクタ数とし、子セルのチャネル識別子と共に報知するセクタ数は、子セルのセクタ数とする。
【００８４】
図１２は移動機２０に送信される報知情報の他の例を示す図である。この例では、移動機２０が捕捉したセクタと頻繁にハンドオーバの生じる隣接する他のセルのセクタに割り当てられたチャネル識別子の識別子（Ｃ７，Ｃ２２）と、当該他のセルに含まれるセクタ数（Ｍ＝１，Ｍ＝６）とを、移動機２０に対する周辺情報（ＳＩＢ）として報知するようにしている。
【００８５】
この報知情報を受信した移動機２０は、チャネル識別子の識別子およびセクタ数に基づき対象を絞って周辺セルサーチを行うことで、周辺セルサーチに要する時間や消費電力を小さく抑えることができる。すなわち、移動機２０は「Ｃ７，Ｍ＝１、Ｃ２２，Ｍ＝６」から、セクタ数が１のグループＧ０の識別子Ｃ７に対応するセクタが自分を向き、セクタ数が６のグループＧ２の識別子Ｃ２２に対応するセクタが自分を向いていることを認識し、グループＧ０については識別子Ｃ７に対応するチャネル識別子に対象を絞ってサーチを行い、グループＧ２については識別子Ｃ２２、Ｃ２１、Ｃ２３・・・に対応するチャネル識別子の順に優先順位を付けてサーチを行うことで、短時間に処理を行うことができる。子セルのセクタ数には親セルのセクタ数が含まれないため、親セルのチャネル識別子を検出する必要がなく、ハンドオーバの候補とならないチャネル識別子を検出する必要がなくなる。
【００８６】
＜第２実施形態：その３＞
図６に示す報知情報の例では、セルの識別子とセクタ数とを移動機２０に報知しているため、親セルと子セルとに同じセルの識別子を割り当てると、検出する必要のないチャネル識別子まで検出することになる。従って、子セルに別のセルの識別子Ｇ３を割り当てる。更に、子セルのチャネル識別子はセル内で番号順に割り当てられなければならないため、子セルのチャネル識別子はＣ７ではなく、Ｃ１になる。
【００８７】
図１３は移動機２０に送信される報知情報の他の例を示す図である。この例では、移動機２０が捕捉したセクタに隣接する他のセルに割り当てられたセルの識別子（Ｇ３，Ｇ２）と、当該他のセルに含まれるセクタ数（Ｍ＝１，Ｍ＝６）とを、移動機２０に対する周辺情報（ＳＩＢ）として報知するようにしている。
【００８８】
この報知情報を受信した移動機２０は、セルの識別子およびセクタ数に基づき対象を絞って周辺セルサーチを行うことで、周辺セルサーチに要する時間や消費電力を小さく抑えることができる。すなわち、移動機２０は「Ｇ３，Ｍ＝１、Ｇ２，Ｍ＝６」からセクタ数が１のセルＧ３とセクタ数が６のセルＧ２が周辺にあることを認識し、セルＧ３については識別子Ｃ１に対応するチャネル識別子を、セルＧ２については識別子Ｃ１〜Ｃ６に対応するチャネル識別子に対象を絞ってサーチを行うことで、短時間に処理を行うことができる。親セルには子セルと別のセルの識別子Ｇ０が割り当てられているため、親セルのチャネル識別子を検出する必要なく、ハンドオーバの候補とならないチャネル識別子を検出する必要がなくなる。
【００８９】
＜第２実施形態：その４＞
図７に示す報知情報の例では、セルの識別子とチャネル識別子とセクタ数とを移動機２０に報知しているため、親セルのセクタ数と子セルのセクタ数とを合計したセクタ数を報知すると、検出する必要のないチャネル識別子まで検出することになる。従って、親セルのチャネル識別子と共に報知するセクタ数は、親セルのセクタ数とし、子セルのチャネル識別子と共に報知するセクタ数は、子セルのセクタ数とする。
【００９０】
図１４は移動機２０に送信される報知情報の他の例を示す図である。この例では、移動機２０が捕捉したセクタに隣接する他のセルに割り当てられたセルの識別子（Ｇ０，Ｇ２）と、移動機２０が捕捉したセクタと頻繁にハンドオーバの生じる隣接する他のセルのセクタに割り当てられたチャネル識別子の識別子（Ｃ７，Ｃ２）と、当該他のセルに含まれるセクタ数（Ｍ＝１，Ｍ＝６）とを、移動機２０に対する周辺情報（ＳＩＢ）として報知するようにしている。
【００９１】
この報知情報を受信した移動機２０は、セルの識別子、チャネル識別子の識別子およびセクタ数に基づき対象を絞って周辺セルサーチを行うことで、周辺セルサーチに要する時間や消費電力を小さく抑えることができる。すなわち、移動機２０は「Ｇ０，Ｃ７，Ｍ＝１、Ｇ２，Ｃ２，Ｍ＝６」から、セクタ数が１のセルＧ０の識別子Ｃ７に対応するセクタが自分を向き、セクタ数が６のセルＧ２の識別子Ｃ２に対応するセクタが自分を向いていることを認識し、セルＧ０については識別子Ｃ７に対応するチャネル識別子に絞ってサーチを行い、セルＧ２については識別子Ｃ２、Ｃ１、Ｃ３・・・に対応するチャネル識別子の順に優先順位を付けてサーチを行うことで、短時間に処理を行うことができる。子セルのセクタ数には親セルのセクタ数が含まれないため、親セルのチャネル識別子を検出する必要がなく、ハンドオーバの候補とならないチャネル識別子を検出する必要がなくなる。
【００９２】
第２実施形態の基地局及び移動機は第１実施形態と同様に構成することができる。
【００９３】
＜第３実施形態＞
図１５は本発明の一実施形態にかかるチャネル識別子割当方法の例を示す図であり、移動通信システムを構成するセルに張り出しセルと呼ばれる子セルが存在する場合を示している。
【００９４】
この場合には、上記の実施形態で説明したように、基地局毎にグループ分けするのではなく、地理的に区切られたセクタの集合を一塊のエリアとしてグループ分けすることが好ましい。このようなセクタの集合をランプエリア（Lump Area）と呼ぶ。
【００９５】
ランプエリアとは、隣接する少なくとも１つのセクタの集合のことをいい、ランプエリアの最小単位はセクタである。例えば張り出しセルの場合には、図１６Ａの点線で示すようにランプエリアを定義することができる。また、図１６Ｂの点線で示すように、ランプエリアは基地局のセルと同一のエリアとして定義することもできる。図１６Ｃの点線で示すように、ランプエリアは複数の基地局のセルから構成することもできる。図１６Ｄの点線で示すように、ランプエリアは複数の基地局のセクタの集合として定義することもできる。更に、１つのセクタが複数のランプエリアに属してもよい。
【００９６】
例えば今後の移動通信システムで張出しセルを積極的に用いて複数のセルを集約した場合にも、ランプエリアを柔軟に組むことができる。
【００９７】
なお、ランプエリアと基地局のセルとが一致する場合、同一基地局で報知情報の送信を容易に同期させることができるため、複数のセクタ（又は親セルと子セル）から受信した共通の報知情報を合成受信することができる。特に３ＧＰＰで標準化が進められているＥｖｏｌｖｅｄ  ＵＴＲＡ  ａｎｄ  ＵＴＲＡＮ（Ｓｕｐｅｒ３Ｇ）のような下り送信方式にＯＦＤＭ（Orthogonal Frequency Division Multiplexing）を適用したシステムでは、同一情報シンボルを同一周波数（ＯＦＤＭサブキャリア）かつ同一タイミングで送信した場合、無線伝搬上でシンボルが自然に合成されてしまうため、移動局では特別な合成処理を行う必要がない。従って、より積極的に張出しセルなどを同一基地局に集約し、集約したセル間で報知情報を同期送信することが有益となる。一方、ランプエリアと基地局のセルとが一致しない場合には、必ずしも報知情報の送信が同期しているとは限らない。合成受信を可能にするためには、ランプエリア内で報知情報の送信を同期させる必要がある。同期方法には、ＧＰＳを利用した同期方法、ネットワークの信号を利用した同期方法等が考えられる。しかしながら、本実施形態はランプエリア内のセル間やランプエリア間の同期を必須とせず、非同期システムの場合にも適用可能である。
【００９８】
ここで、本実施形態のチャネル識別子割当方法は次の手順によって実行される。
【００９９】
（１）利用可能なチャネル識別子を番号順にｍ個ずつにグループ分けし、各ランプエリアにグループを割り当てる。すなわち、グループの識別子をＧで表し、チャネル識別子の識別子をＣで表すと、
Ｇ０＝｛Ｃ１，Ｃ２，・・・・Ｃｍ｝
Ｇ１＝｛Ｃｍ＋１，Ｃｍ＋２，・・・・Ｃｍ＋ｍ｝
・
・
Ｇｉ＝｛Ｃｍｉ＋１，Ｃｍｉ＋２，・・・・Ｃｍｉ＋ｍ｝
・
・
とし、各ランプエリアにグループの識別子Ｇｉを割り当てる。
【０１００】
（２）各グループ内で上記チャネル識別子を番号順に第１セクタから第ｍセクタまで割り当てる。すなわち、
グループＧ０：Ｃ１→セクタ１、Ｃ２→セクタ２、・・・
グループＧ１：Ｃｍ＋１→セクタ１、Ｃｍ＋２→セクタ２、・・・
・
・
グループＧｉ：Ｃｍｉ＋１→セクタ１、Ｃｍｉ＋２→セクタ２、・・・
・
・
とする。チャネル識別子をセクタに割り当てるときに、なるべく近くのセクタに近い番号の識別子を割り当てる。なお、各基地局に実際に設けられるセクタ数を越える場合であっても、チャネル識別子を設計上割り当てる。
【０１０１】
このように各ランプエリアにグループの識別子を割り当てることにより、張り出しセル等にも柔軟に対応が可能になる。周辺情報（ＳＩＢ）の削減効果も基地局単位より大きくすることができる。また、ランプエリア内で報知情報の送信が同期している場合には、１セクタを検出した場合にランプエリア内の他のセクタも同期関係にあるため、検出が容易になる。
【０１０２】
＜第３実施形態：その１＞
図１７は基地局のセクタから移動機２０に送信される報知情報の例を示す図である。この例では、移動機２０が捕捉したセクタに隣接する他のランプエリアに割り当てられたグループの識別子（Ｇ１）と、当該他のランプエリアに含まれるセクタ数（Ｍ＝７）とを、移動機２０に対する周辺情報（ＳＩＢ：System Information Block）として報知するようにしている。
【０１０３】
この報知情報を受信した移動機２０は、グループの識別子およびセクタ数に基づき対象を絞って周辺セルサーチを行うことで、周辺セルサーチに要する時間や消費電力を小さく抑えることができる。すなわち、移動機２０は「Ｇ１，Ｍ＝７」からセクタ数が７のグループＧ１が周辺にあることを認識し、グループＧ１について識別子Ｃ１１〜Ｃ１７に対応するチャネル識別子に対象を絞ってサーチを行うことで、短時間に処理を行うことができる。
【０１０４】
＜第３実施形態：その２＞
図１８は移動機２０に送信される報知情報の他の例を示す図である。この例では、移動機２０が捕捉したセクタと頻繁にハンドオーバの生じる隣接する他のランプエリアのセクタに割り当てられたチャネル識別子の識別子（Ｃ１５）と、当該他のランプエリアに含まれるセクタ数（Ｍ＝７）とを、移動機２０に対する周辺情報（ＳＩＢ）として報知するようにしている。
【０１０５】
この報知情報を受信した移動機２０は、チャネル識別子の識別子およびセクタ数に基づき対象を絞って周辺セルサーチを行うことで、周辺セルサーチに要する時間や消費電力を小さく抑えることができる。すなわち、移動機２０は「Ｃ１５，Ｍ＝７」から、セクタ数が７のグループＧ１の識別子Ｃ１５に対応するセクタが自分を向いていることを認識し、グループＧ１については識別子Ｃ１５、Ｃ１４、Ｃ１６・・・に対応するチャネル識別子の順に優先順位を付けてサーチを行うことで、短時間に処理を行うことができる。
【０１０６】
＜第３実施形態：その３＞
図１９は移動機２０に送信される報知情報の他の例を示す図である。この例では、移動機２０が捕捉したセクタに隣接する他のランプエリアに割り当てられたランプエリアの識別子（Ｇ１）と、当該他のランプエリアに含まれるセクタ数（Ｍ＝７）とを、移動機２０に対する周辺情報（ＳＩＢ）として報知するようにしている。
【０１０７】
この報知情報を受信した移動機２０は、ランプエリアの識別子およびセクタ数に基づき対象を絞って周辺セルサーチを行うことで、周辺セルサーチに要する時間や消費電力を小さく抑えることができる。すなわち、移動機２０は「Ｇ１，Ｍ＝７」からセクタ数が７のランプエリアＧ１が周辺にあることを認識し、ランプエリアＧ１について識別子Ｃ１〜Ｃ７に対応するチャネル識別子に対象を絞ってサーチを行うことで、短時間に処理を行うことができる。
【０１０８】
＜第３実施形態：その４＞
図２０は移動機２０に送信される報知情報の他の例を示す図である。この例では、移動機２０が捕捉したセクタに隣接する他のランプエリアに割り当てられたランプエリアの識別子（Ｇ１）と、移動機２０が捕捉したセクタと頻繁にハンドオーバの生じる隣接する他のランプエリアのセクタに割り当てられたチャネル識別子の識別子（Ｃ５）と、当該他のランプエリアに含まれるセクタ数（Ｍ＝７）とを、移動機２０に対する周辺情報（ＳＩＢ）として報知するようにしている。
【０１０９】
この報知情報を受信した移動機２０は、ランプエリアの識別子、チャネル識別子の識別子およびセクタ数に基づき対象を絞って周辺セルサーチを行うことで、周辺セルサーチに要する時間や消費電力を小さく抑えることができる。すなわち、移動機２０は「Ｇ１，Ｃ５，Ｍ＝７」から、セクタ数が７のランプエリアＧ１の識別子Ｃ５に対応するセクタが自分を向いていることを認識し、ランプエリアＧ１について識別子Ｃ５に対応するチャネル識別子に絞ってサーチを行うことで、短時間に処理を行うことができる。
【０１１０】
＜第３実施形態：ランプエリア毎の制御装置の構成例＞
図２１は本発明の一実施形態にかかるランプエリア毎の制御装置５０の構成例を示す図である。制御装置５０はランプエリア毎に設置される。ランプエリアが基地局のセルと一致する場合には、制御装置５０は基地局内に設置されてもよい。
【０１１１】
図２１において、制御装置５０は、少なくとも報知情報設定制御部５０４、チャネル識別子設定制御部５０６から構成される。各セクタは、少なくとも報知情報格納部５０８、チャネル識別子発生部５１０、報知情報チャネル情報構成部５１２、変調部５１４、多重化部５１６、増幅部５１８、アンテナ５２０、他チャネル信号処理部５２２およびネットワークインタフェース５２４から構成される。
【０１１２】
報知情報設定制御部５０４は、各セクタに対応する報知情報格納部５０８に接続され、報知情報を各セクタ毎に設定することを制御する機能を有する。ここで、「報知情報」とは、図１７、図１８、図１９、図２０で説明した方法に基づいて、基地局が各セクタに在圏する移動局に対して報知するための情報である。チャネル識別子設定制御部５０６は、各セクタに対応するチャネル識別子発生部５１０に接続され、セクタ毎に割り当てるチャネル識別子番号をグループ（ランプエリア）から選択して設定し、チャネル識別子発生部５１０を制御する機能を有する。報知情報格納部５０８、チャネル識別子発生部５１０、報知情報チャネル情報構成部５１２、変調部５１４、多重化部５１６、増幅部５１８、アンテナ５２０、他チャネル信号処理部５２２およびネットワークインタフェース５２４の機能は、図８で説明した機能と同一であるため、説明を省略する。
【０１１３】
なお、ランプエリア内で報知情報の送信を同期させる場合には、報知情報チャネル情報構成部５１２に同期信号を入力する。同期信号は、ＧＰＳを利用して生成してもよく、上位ネットワークの信号を利用して生成してもよい。
【０１１４】
第３実施形態の移動機は第１実施形態と同様に構成することができる。なお、ランプエリア内で報知情報の送信が同期している場合には、無線受信部２０４で報知情報の合成受信を行うことができる。
【０１１５】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【０１１６】
【図１】移動通信システムにおけるセルとセクタの概念を示す図である。
【図２】本発明の一実施形態にかかるチャネル識別子割当方法の例を示す図である。
【図３】移動機に送信される報知情報の例を示す図（その１）である。
【図４】移動機に送信される報知情報の例を示す図（その２）である。
【図５】同じ組み合わせのチャネル識別子が割り当てられる例を示す図である。
【図６】移動機に送信される報知情報の例を示す図（その３）である。
【図７】移動機に送信される報知情報の例を示す図（その４）である。
【図８】本発明の一実施形態にかかる基地局の構成例を示す図である。
【図９】本発明の一実施形態にかかる移動機の構成例を示す図である。
【図１０】本発明の一実施形態にかかるチャネル識別子割当方法の例を示す図である。
【図１１】移動機に送信される報知情報の例を示す図（その１）である。
【図１２】移動機に送信される報知情報の例を示す図（その２）である。
【図１３】移動機に送信される報知情報の例を示す図（その３）である。
【図１４】移動機に送信される報知情報の例を示す図（その４）である。
【図１５】本発明の一実施形態にかかるチャネル識別子割当方法の例を示す図である。
【図１６Ａ】ランプエリアの一例を示す図である。
【図１６Ｂ】ランプエリアの一例を示す図である。
【図１６Ｃ】ランプエリアの一例を示す図である。
【図１６Ｄ】ランプエリアの一例を示す図である。
【図１７】移動機に送信される報知情報の例を示す図（その１）である。
【図１８】移動機に送信される報知情報の例を示す図（その２）である。
【図１９】移動機に送信される報知情報の例を示す図（その３）である。
【図２０】移動機に送信される報知情報の例を示す図（その４）である。
【図２１】本発明の一実施形態にかかるランプエリア毎の制御装置の構成例を示す図である。
【符号の説明】
【０１１７】
１０      基地局
２０      移動機
３０      セル
４０      セクタ
５０      制御装置
１０２    ユーザインタフェース
１０４    報知情報設定制御部
１０６    チャネル識別子設定制御部
１０８    報知情報格納部
１１０    チャネル識別子発生部
１１２    報知情報チャネル情報構成部
１１４    変調部
１１６    多重化部
１１８    増幅部
１２０    アンテナ
１２２    他チャネル信号処理部
１２４    ネットワークインタフェース
２０２    アンテナ
２０４    無線受信部
２０６    チャネル識別子サーチ部
２１０    制御部
２１２    メモリ部
５０４    報知情報設定制御部
５０６    チャネル識別子設定制御部
５０８    報知情報格納部
５１０    チャネル識別子発生部
５１２    報知情報チャネル情報構成部
５１４    変調部
５１６    多重化部
５１８    増幅部
５２０    アンテナ
５２２    他チャネル信号処理部
５２４    ネットワークインタフェース
【図１】
0004824485.tif 000002
【図２】
0004824485.tif 000003
【図３】
0004824485.tif 000004
【図４】
0004824485.tif 000005
【図５】
0004824485.tif 000006
【図６】
0004824485.tif 000007
【図７】
0004824485.tif 000008
【図８】
0004824485.tif 000009
【図９】
0004824485.tif 000010
【図１０】
0004824485.tif 000011
【図１１】
0004824485.tif 000012
【図１２】
0004824485.tif 000013
【図１３】
0004824485.tif 000014
【図１４】
0004824485.tif 000015
【図１５】
0004824485.tif 000016
【図１６Ａ】
0004824485.tif 000017
【図１６Ｂ】
0004824485.tif 000018
【図１６Ｃ】
0004824485.tif 000019
【図１６Ｄ】
0004824485.tif 000020
【図１７】
0004824485.tif 000021
【図１８】
0004824485.tif 000022
【図１９】
0004824485.tif 000023
【図２０】
0004824485.tif 000024
【図２１】
0004824485.tif 000025